(57)【要約】  【課題】溶融飛散物が切断用開口部に付着して堆積するのを抑制し、その溶融飛散物が被切断物の切断部付近に付着するのを防止する。  【解決手段】支持部材１２に形成した切断用開口部１４における長手方向に沿った対向面部１４ａの厚み１４ｃを、０．２ｍｍ以上、５ｍｍ以下に形成することにより、対向面部１４ａの面積を小さくし、溶融飛散物が対向面部１４ａに付着しても、導入される空気の風圧で除去されやすくした。【選択図】図３
2005211957.tif 000002
【特許請求の範囲】
【請求項１】
所要長さのスリット状の切断用開口部が開口された支持部材に対し、レーザ照射部が前記切断用開口部の長手方向に沿って移動するように当該レーザ照射部と前記支持部材とを相対的に移動可能に構成し、前記支持部材上に置かれた被切断物の上方から前記レーザ照射部によりレーザ光を照射して当該被切断物を切断するとともに、該切断の際に発生する溶融飛散物を前記切断用開口部を介して空気の吸引により捕集するレーザ切断装置であって、
前記切断用開口部における長手方向に沿った対向面部の厚みを０．２ｍｍ以上、５ｍｍ以下に形成してなることを特徴とするレーザ切断装置。
【請求項２】
上記切断用開口部における対向した各面部から当該切断用開口部の長手方向に直交した方向の上記０．２ｍｍ以上、５ｍｍ以下の厚み部分の長さは、両側それぞれ１０ｍｍ以上、１００ｍｍ以下であることを特徴とする請求項１記載のレーザ切断装置。
【請求項３】
所要長さのスリット状の切断用開口部が開口された支持部材に対し、レーザ照射部が前記切断用開口部の長手方向に沿って移動するように当該レーザ照射部と前記支持部材とを相対的に移動可能に構成し、前記支持部材上に置かれた被切断物の上方から前記レーザ照射部によりレーザ光を照射して当該被切断物を切断するとともに、該切断の際に発生する溶融飛散物を前記切断用開口部を介して空気の吸引により捕集し、さらに前記切断用開口部内には該切断用開口部に付着した前記溶融飛散物を取り除くスクレーパを前記切断用開口部の長手方向に移動可能に配設してなるレーザ切断装置であって、
前記切断用開口部における長手方向に沿った対向各面部と前記スクレーパとの隙間間隔を０．３ｍｍ以上、２ｍｍ以下に形成してなることを特徴とするレーザ切断装置。
【請求項４】
上記支持部材上に置かれた上記被切断物を真空吸着によって当該支持部材へ固定するように構成したことを特徴とする請求項１，２又は３記載のレーザ切断装置。
【発明の詳細な説明】
【技術分野】
【０００１】
本発明は、レーザ切断装置に関するものであり、特に、レーザ光で樹脂シート等の被切断物を切断する際に発生する溶融飛散物が切断用開口部に付着して堆積するのを抑制し、その溶融飛散物が被切断物の切断部付近に直接もしくは二次的に付着するのを防止することが可能なレーザ切断装置に関するものである。
【背景技術】
【０００２】
樹脂シート、樹脂フィルム又は樹脂成形品等を切断する一手段として、レーザ切断装置が知られている。このレーザ切断装置を用いて前記被切断物を切断する場合、切断時の高温によりガス及び溶融飛散物が発生し、この溶融飛散物が被切断物の切断部周辺に付着してしまう。
【０００３】
このような溶融飛散物が被切断物の切断部周辺に付着するのを防ぐため、第１の従来技術として、例えば、図６に示すような空気導入型のレーザ切断装置が提案されている。このレーザ切断装置は、下面に樹脂成形品等の被切断物１が接するような凹み２が設けられた上面押さえ治具３と、上面に前記被切断物１が接するような凹み４が設けられた下面押さえ台５とが備えられ、上面押さえ治具３には、レーザ光取り込み口６が形成されるとともに、このレーザ光取り込み口６の側面に空気導入口７が開穿されている。一方、下面押さえ台５には、被切断物１をレーザ光８で切断する際に発生する溶融飛散物を排気する排気口９が設けられている。
【０００４】
そして、被切断物１を切断する場合、空気導入口７に空気を導入するとともに、排気口９から空気を吸引するように空気の流れを作る。次いで、レーザ光８を、シリンドリカルレンズ１０及びガラス１１を通して、レーザ光取り込み口６より被切断物１の切断部に照射し、被切断物１を切断する。この切断する際に発生したガス及び溶融飛散物は、排気口９から吸引して除去するようにしている。
【０００５】
しかし、上記の空気導入型のレーザ切断装置では、被切断物１をレーザ光８で切断する際に発生したガス及び溶融飛散物が排気口９から排出される際に、これらガス及び溶融飛散物が空気と一緒に輸送されるとともに、この溶融飛散物が被切断物１の切断部位置より下方の排気口９及び下面押さえ台５等に付着して堆積され固化してまう。
【０００６】
また、第２の従来技術として、例えば、次のような二重構造のレーザヘッドを備えたレーザ切断装置が知られている。このレーザ切断装置には、レーザ光を樹脂成形品等の被切断物に照射するレーザ切断ノズルと、このレーザ切断ノズルの外周部に環状空間部を有するように外嵌されて該環状空間部から空気を吸引する空気吸引ノズルとからなる二重構造のレーザヘッドが備えられている。そして、レーザ切断ノズルからのレーザ光により被切断物を切断し、その際に発生するガス及び溶融飛散物を空気吸引ノズルで吸引して除去するようにしている。
【０００７】
しかし、上記二重構造のレーザヘッドを有するレーザ切断装置においても、被切断物をレーザ光で切断する際に発生する溶融飛散物が空気と一緒に環状空間部の部分を通って空気吸引ノズルで吸引されるため、その溶融飛散物が環状空間部に付着して堆積されてしまう。
【０００８】
これらの問題に対し、さらに第３の従来技術として、例えば、次のようなレーザ切断装置が知られている。このレーザ切断装置は、切断用開口部が開口された支持部材上の被切
断物をレーザ光を照射して切断するレーザ照射部と、前記支持部材の下方に配置されて、前記被切断物が切断される際に発生する溶融飛散物を前記切断用開口部を介して空気の吸引により捕集する捕集用容器と、該捕集用容器内に設けられ、前記溶融飛散物に冷却水を噴射して冷却するための冷却水噴射ノズルとを備え、捕集用容器内に導かれた溶融飛散物を冷却水噴射ノズルから噴射される水で冷却して固化し、前記溶融飛散物が被切断物の切断部周辺に付着して固化してしまうのを防止するようにしている（例えば、特許文献１参照）。
【０００９】
しかし、上記冷却水噴射ノズルを備えたレーザ切断装置においても、被切断物をレーザ光で切断する際に発生する溶融飛散物が空気と一緒に支持部材における切断用開口部の部分を通って捕集用容器に捕集されるため、その溶融飛散物が切断用開口部に付着して堆積されてしまう。
【特許文献１】特開２００２−２３９７７５号公報（第１頁、図５）。
【発明の開示】
【発明が解決しようとする課題】
【００１０】
第１の従来技術においては、被切断物をレーザ光で切断する際に発生した溶融飛散物が被切断物の切断部位置より下方の排気口及び下面押さえ台等に付着して堆積されてしまう。第２の従来技術においては、溶融飛散物が空気と一緒に環状空間部の部分を通って空気吸引ノズルで吸引されるため、その溶融飛散物が環状空間部に付着して堆積されてしまう。また、第３の従来技術においては、捕集用容器内に導かれた溶融飛散物を冷却水噴射ノズルから噴射される水で冷却して固化するようにしているが、溶融飛散物が捕集用容器内に導かれる前に、溶融飛散物が空気と一緒に支持部材における切断用開口部の部分を通るため、その溶融飛散物が、被切断物の切断部に近い切断用開口部に付着して堆積されてしまう。
【００１１】
このように溶融飛散物が、排気口、環状空間部又は切断用開口部等に付着して堆積すると、二次的に被切断物である樹脂成形品等に付着して、その被切断物が不良になる虞がある。したがって、この溶融飛散物を被切断物から頻繁に取り除く作業をする必要があった。
【００１２】
そこで、溶融飛散物が切断用開口部に付着して堆積するのを抑制し、その溶融飛散物が被切断物の切断部付近に付着するのを防止するために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、所要長さのスリット状の切断用開口部が開口された支持部材に対し、レーザ照射部が前記切断用開口部の長手方向に沿って移動するように当該レーザ照射部と前記支持部材とを相対的に移動可能に構成し、前記支持部材上に置かれた被切断物の上方から前記レーザ照射部によりレーザ光を照射して当該被切断物を切断するとともに、該切断の際に発生する溶融飛散物を前記切断用開口部を介して空気の吸引により捕集するレーザ切断装置であって、前記切断用開口部における長手方向に沿った対向面部の厚みを０．２ｍｍ以上、５ｍｍ以下に形成してなるレーザ切断装置を提供する。
【００１４】
この構成によれば、レーザ光で被切断物を切断する際に発生する溶融飛散物を空気の吸引により捕集するとき、その溶融飛散物が切断用開口部の部分を通る。このため、切断用開口部には、溶融飛散物の付着傾向が生じる。これに対し、切断用開口部における対向面部の厚みを５ｍｍ以下にすることで、対向面部の面積が小さくなる。このため、溶融飛散物が切断用開口部の対向面部に付着しても、導入された空気の風圧で除去されやすくなり
、切断用開口部の対向面部には、溶融飛散物が堆積しにくくなる。切断用開口部における対向面部の厚みを０．２ｍｍ以下にすると、支持部材の機械的強度が不足する場合がある。
【００１５】
請求項２記載の発明は、上記切断用開口部における対向した各面部から当該切断用開口部の長手方向に直交した方向の上記０．２ｍｍ以上、５ｍｍ以下の厚み部分の長さは、両側それぞれ１０ｍｍ以上、１００ｍｍ以下である請求項１記載のレーザ切断装置を提供する。
【００１６】
この構成によれば、上記請求項１記載の発明の切断用開口部における対向面部の厚みが０．２ｍｍ以上、５ｍｍ以下である部分の長さを両側それぞれ１０ｍｍ以上にすることで、切断用開口部の下縁に続く支持部材の下面側に、溶融飛散物が付着しにくくなる。前記部分の長さが１００ｍｍを超えると、支持部材の機械的強度が不足して被切断物の切断位置がずれる等の虞がある。
【００１７】
請求項３記載の発明は、所要長さのスリット状の切断用開口部が開口された支持部材に対し、レーザ照射部が前記切断用開口部の長手方向に沿って移動するように当該レーザ照射部と前記支持部材とを相対的に移動可能に構成し、前記支持部材上に置かれた被切断物の上方から前記レーザ照射部によりレーザ光を照射して当該被切断物を切断するとともに、該切断の際に発生する溶融飛散物を前記切断用開口部を介して空気の吸引により捕集し、さらに前記切断用開口部内には該切断用開口部に付着した前記溶融飛散物を取り除くスクレーパを前記切断用開口部の長手方向に移動可能に配設してなるレーザ切断装置であって、前記切断用開口部における長手方向に沿った対向各面部と前記スクレーパとの隙間間隔を０．３ｍｍ以上、２ｍｍ以下に形成してなるレーザ切断装置を提供する。
【００１８】
この構成によれば、切断用開口部における対向各面部とスクレーパとの隙間間隔を０．３ｍｍ以上にすることで、スクレーパが切断用開口部をスムーズに移動して切断用開口部に付着した溶融飛散物が取り除かれる。前記溶融飛散物は粘性物質であることが多く、隙間が狭すぎるとスクレーパの動作不良や破損が生じることがある。前記隙間間隔を２ｍｍ以上にすると、溶融飛散物を十分に取り除くことができない場合がある。
【００１９】
請求項４記載の発明は、上記支持部材上に置かれた上記被切断物を真空吸着によって当該支持部材へ固定するように構成した請求項１，２又は３記載のレーザ切断装置を提供する。
【００２０】
この構成によれば、被切断物を支持部材上へ真空吸着によって固定することで、被切断物と支持部材との間に隙間が発生せず、その隙間部分に溶融飛散物が付着するという不具合が生じない。
【発明の効果】
【００２１】
請求項１記載の発明は、切断用開口部における長手方向に沿った対向面部の厚みを０．２ｍｍ以上、５ｍｍ以下に形成したので、前記対向面部の面積が小さくなって、溶融飛散物が切断用開口部の対向面部に付着しても、導入された空気の風圧で除去されやすくなる。したがって、溶融飛散物が切断用開口部に付着して堆積するのを抑制することができ、その溶融飛散物が被切断物の切断部付近に直接もしくは二次的に付着するのを防止することができるという利点がある。
【００２２】
請求項２記載の発明は、上記切断用開口部における対向した各面部から当該切断用開口部の長手方向に直交した方向の上記０．２ｍｍ以上、５ｍｍ以下の厚み部分の長さは、両側それぞれ１０ｍｍ以上、１００ｍｍ以下としたので、上記請求項１記載の発明の効果に
加えてさらに、切断用開口部の下縁に続く支持部材の下面側に溶融飛散物が付着して堆積するのを抑制することができるという利点がある。
【００２３】
請求項３記載の発明は、切断用開口部における長手方向に沿った対向各面部とスクレーパとの隙間間隔を０．３ｍｍ以上、２ｍｍ以下に形成したので、スクレーパが切断用開口部をスムーズに移動して切断用開口部に付着した溶融飛散物を取り除くことができる。したがって、溶融飛散物が切断用開口部に堆積するのを抑制して、その溶融飛散物が被切断物の切断部付近に直接もしくは二次的に付着するのを防止することができるという利点がある。
【００２４】
請求項４記載の発明は、上記支持部材上に置かれた上記被切断物を真空吸着によって当該支持部材へ固定するように構成したので、上記請求項１，２又は３記載の発明の効果に加えてさらに、被切断物と支持部材との間に隙間が生じることがなく、その隙間部分に溶融飛散物が付着して堆積するのを防止することができるという利点がある。
【発明を実施するための最良の形態】
【００２５】
溶融飛散物が切断用開口部に付着して堆積するのを抑制し、その溶融飛散物が被切断物の切断部付近に付着するのを防止するという目的を、支持部材に形成した切断用開口部における対向面部の厚みを０．２ｍｍ以上、５ｍｍ以下に形成するとともに前記切断用開口部における対向した各面部から当該切断用開口部の長手方向に直交した方向の前記０．２ｍｍ以上、５ｍｍ以下の厚み部分の長さを、両側それぞれ１０ｍｍ以上、１００ｍｍ以下とすることにより実現した。
【実施例１】
【００２６】
以下、本発明の実施例１を図面に従って詳述する。図１は、支持部材の斜視図、図２は、図１のＡ−Ａ線断面図、図３は、図２の要部拡大断面図、図４は、支持部材の各変形例を示す要部断面図である。
【００２７】
図１〜図３は、本実施例に係るレーザ切断装置における支持部材の構成を示している。図１に示すように、支持部材１２は、平面視方形状の板体であり、その素材は、強度を高く保持するために、ベークライト等の合成樹脂、又はステンレス、アルミニウム合金等の金属材料が用いられている。支持部材１２上には、図示省略の移送機構により、樹脂シート等の被切断物１３が移送されるように構成されており、支持部材１２には、その被切断物１３の移送方向と直交する方向、即ち被切断物１３の幅方向に少なくとも当該被切断物１３の幅よりも長いスリット状の切断用開口部１４が開口されている。
【００２８】
支持部材１２の上方には、支持部材１２上に移送された被切断物１３に対し切断用レーザ光を鉛直方向上方から照射する図示省略のレーザ照射部が装備されている。該レーザ照射部は、前記切断用開口部１４の上方を当該切断用開口部１４の長手方向に沿って移動する。なお、レーザ照射部と支持部材１２とは、該レーザ照射部が切断用開口部１４の長手方向に沿って移動するように、相対的に移動可能に構成されていればよい。また、支持部材１２の側面には外部からの空気を導入する空気導入口１５が開口され、切断用開口部１４に対応した支持部材１２の下面位置には、当該切断用開口部１４よりも幅広の空気通過用開口部１６が開口されている。
【００２９】
一方、支持部材１２の下方には、被切断物１３が切断用レーザ光で切断される際に発生して拡散する溶融飛散物及びガスを前記切断用開口部１４及び空気通過用開口部１６を介して空気の吸引により捕集する図示省略の捕集用容器が配置されている。切断用開口部１４の部分及び支持部材１２の表面側及び裏面側には、上記溶融飛散物の付着を抑えるため、離型剤として、例えばポリテトラフルオロエチレン、ポリエチレン等を材料にした付着
防止膜が被覆されていることが好ましい。
【００３０】
図３は、切断用開口部１４の詳細構成を示している。切断用開口部１４の部分は、裏面側に形成された段部により所要厚さに薄く形成されている。該切断用開口部１４における長手方向に沿った対向面部１４ａ，１４ａの間隔、即ち、切断用開口部１４の開口幅１４ｂは２ｍｍ以上、５０ｍｍ以下であることが好ましい。前記開口幅１４ｂが２ｍｍ以下であると、レーザのアシストエアの流れが遮られて前記溶融飛散物が被切断物１３に付着する場合がある。前記開口幅１４ｂが５０ｍｍ以上であると樹脂シート等の被切断物１３が自重で撓むなどして切断面の断面形状に問題が生じる場合がある。切断用開口部１４の開口幅１４ｂのより好ましい範囲は、３ｍｍ以上、４０ｍｍ以下である。
【００３１】
切断用開口部１４における対向面部１４ａの厚み１４ｃは、０．２ｍｍ以上、５ｍｍ以下である。前記厚み１４ｃが５ｍｍ以下であると、対向面部１４ａの面積が小さくなるため、付着した前記溶融飛散物が、空気導入口１５から導入された空気の風圧で除去されやすくなる。このため、溶融飛散物が対向面部１４ａに堆積しにくくなる。前記厚み１４ｃが０．２ｍｍ以下であると、支持部材１２の機械的強度が不足する場合がある。
【００３２】
また、切断用開口部１４における対向した各面部１４ａ，１４ａから当該切断用開口部１４の長手方向に直交した方向の前記０．２ｍｍ以上、５ｍｍ以下の厚み１４ｃ部分の長さ１４ｄは、両側それぞれ１０ｍｍ以上、１００ｍｍ以下であることが好ましい。前記長さ１４ｄが１０ｍｍ以下であると、支持部材１２に溶融飛散物が付着しやすくなる場合がある。前記長さ１４ｄが１００ｍｍ以上であると、支持部材１２の機械的強度が不足して破損したり、被切断物１３の切断位置がずれる等の問題が生じる場合がある。
【００３３】
図４の（ａ），（ｂ），（ｃ），（ｄ）は、切断用開口部１４における下面側形状の各変形例を示している。図４（ａ）は、下面側形状が階段状斜面１７ａに形成されている。図４（ｂ）は、下面側形状がテーパ状傾斜面１７ｂに形成されている。図４（ｃ），（ｄ）は、下面側形状が階段状斜面とテーパ状傾斜面とを折衷した折衷形傾斜面１７ｃに形成されている。
【００３４】
このように、切断用開口部１４における下面側形状が傾斜面１７ａ，１７ｂ又は１７ｃに形成されていても、図４（ｄ）に例示するように、前記０．２ｍｍ以上、５ｍｍ以下の厚み１４ｃ部分の長さ１４ｄは、両側それぞれ１０ｍｍ以上、１００ｍｍ以下であることが好ましい。また、図３（ｃ）に示すように、支持部材１２の上面と傾斜面１７ｃのなす角θは、４５゜以下が好ましい。角θがこれ以上の角度であると、傾斜面１７ａ，１７ｂ又は１７ｃの部分に前記溶融飛散物が付着しやすくなる場合がある。角θは３０゜以下が特に好ましい。図４の（ａ）〜（ｄ）の各例に示すように、切断用開口部１４における下面側形状を傾斜面１７ａ，１７ｂ又は１７ｃにすると、前記溶融飛散物が付着しにくくなるという効果と支持部材１２の機械的強度を高めることができるという効果が両立しやすくなる点で好ましい。
【００３５】
上記のような構造を持つ支持部材１２上に移送された被切断物１３を、切断に際して該支持部材１２へ固定する方法としては、一般的には、クランプ機構等が用いられている。しかし支持部材１２における対向面部１４ａの厚み１４ｃが薄い場合、機械的強度が不十分となり、支持部材１２がクランプの押し付け圧力で損傷したり、支持部材１２が弾性変形して被切断物１３との間に隙間が生じ、前記溶融飛散物が付着するという不具合が生じる虞がある。また、支持部材１２が弾性変形して被切断物１３の位置が変わり、レーザ光の焦点位置からずれることによる切断不具合を生じる虞がある。このため、本実施例では、被切断物１３を支持部材１２へ固定する方法として、被切断物１３を支持部材１２の上面に真空吸着する方式を採用している。真空吸着方式を用いると、支持部材１２が実質的
に変形しないため、上記のような不具合が生じない。
【００３６】
次に、上述のように構成されたレーザ切断装置の作用を説明する。樹脂シート等の被切断物１３が、移送機構により支持部材１２上に移送される。そして、所定の切断長さ分だけ送り出されると、レーザ照射部が切断用開口部１４の上方を当該切断用開口部１４の長手方向に沿って移動しながら、被切断物１３に対し切断用レーザ光が鉛直方向上方から照射されて切断が行われる。該被切断物１３が切断用レーザ光で切断される際、溶融飛散物及びガスが発生し、これらの溶融飛散物及びガスが前記切断用開口部１４から空気通過用開口部１６を介して空気の吸引により捕集用容器に引き込まれる。
【００３７】
このように、被切断物１３を切断用レーザ光で切断する際に発生する溶融飛散物が空気の吸引により捕集されるとき、その溶融飛散物が切断用開口部１４の部分を通る。このため、切断用開口部１４には、溶融飛散物の付着傾向が生じる。これに対し、切断用開口部１４における対向面部１４ａは、厚み１４ｃが５ｍｍ以下に形成されていることで、対向面部１４ａの面積が小さくなっている。このため、溶融飛散物が切断用開口部１４の対向面部１４ａに付着しても、空気導入口１５から導入された空気の風圧で除去されやすくなり、切断用開口部１４の対向面部１４ａには、溶融飛散物が堆積しにくくなる。
【００３８】
また、前記切断用開口部１４における対向面部１４ａの厚み１４ｃが０．２ｍｍ以上、５ｍｍ以下である部分の長さ１４ｄは、両側それぞれ１０ｍｍ以上に形成されている。このため、切断用開口部１４の下縁に続く支持部材１２の下面側に、溶融飛散物が付着しにくくなる。さらに、被切断物１３は、支持部材１２上へ真空吸着によって固定されているため、被切断物１３と支持部材１２の上面との間には隙間が発生せず、その隙間部分に溶融飛散物が付着するという不具合が生じない。
【００３９】
上述したように、本実施例に係るレーザ切断装置においては、切断用開口部１４における対向面部１４ａの厚み１４ｃを５ｍｍ以下に形成したことで、該対向面部１４ａの面積が小さくなって、溶融飛散物が切断用開口部１４の対向面部１４ａに付着しても、導入された空気の風圧で除去されやすくなる。したがって、溶融飛散物が切断用開口部１４に付着して堆積するのを抑制することができ、その溶融飛散物が被切断物１３の切断部付近に直接もしくは二次的に付着するのを防止することができる。
【００４０】
また、切断用開口部１４における前記０．２ｍｍ以上、５ｍｍ以下の厚み１４ｃ部分の長さ１４ｄを１０ｍｍ以上としたことで、切断用開口部１４の下縁に続く支持部材１２の下面側に溶融飛散物が付着して堆積するのを抑えることができる。さらに支持部材１２上の被切断物１３を真空吸着によって当該支持部材１２へ固定するようにしたことで、被切断物１３と支持部材１２との間に隙間が生じることがなく、その隙間部分に溶融飛散物が付着して堆積するのを防止することができる。
【実施例２】
【００４１】
本発明の実施例２を図５を用いて説明する。図５は、支持部材１２における切断用開口部１４の部分の断面を示している。本実施例では、切断用開口部１４内に、該切断用開口部１４に付着した前記溶融飛散物を取り除くスクレーパ１８が、前記切断用開口部１４の長手方向に移動可能に配設されている。スクレーパ１８の材質としては、ゴム質、合成樹脂製等が好ましい。中でも溶融飛散物が付着しないという点でシリコーン系樹脂、フッソ系樹脂が特に好ましい。
【００４２】
そして、前記切断用開口部１４における対向各面部１４ａ，１４ａとスクレーパ１８との隙間間隔ｇは、両側それぞれ０．３ｍｍ以上、２ｍｍ以下に形成することが好ましい。隙間間隔ｇを０．３ｍｍ以上にすることで、スクレーパ１８が切断用開口部１４をスムー
ズに移動して該切断用開口部１４に付着した溶融飛散物を取り除くことができる。前記隙間間隔ｇを２ｍｍ以上にすると、溶融飛散物を十分に取り除くことができない場合がある。スクレーパ１８の最上部の位置は、支持台開口部端面１４ａの最上部より下で、最下部より上であるのが好ましい。
【００４３】
次に本実施例の作用及び効果を、本実施例の具体例を比較例と比較することにより説明する。
（具体例）
まず、本実施例の具体例を述べる。
【００４４】
被切断物１３                ：アクリル樹脂製シート、１ｍｍ厚み、切断幅１ｍ
レーザ装置                  ：レーザ出力８００ワット、アシストガス圧２，５ｋｇ
ｆ／ｃｍ２
切断速度                    ：１２ｍ／ｍｉｎ
支持部材１２の材料          ：ベークライト
切断用開口部１４の厚み１４ｃ：２．０ｍｍ
切断用開口部１４の長さ１４ｄ：５０ｍｍ
切断用開口部１４の開口幅１４ｂ：１０ｍｍ
スクレーパ１８の寸法        ：ブレードの厚み９ｍｍ、高さ３ｍｍ
スクレーパ１８の材質        ：シリコーン樹脂
スクレーパ１８の作動頻度    ：１時間ごと
スクレーパ１８の移動速度    ：５ｍ／ｍｉｎ
隙間ｇ                      ：０．５ｍｍ
以上の条件で、上記アクリル樹脂製シートを８時間に１６００枚切断したが、切断用開口部１４の付近には、アクリル樹脂製シート切断の妨げとなるような溶融飛散物は付着しなかった。
（比較例）
支持部材１２における切断用開口部１４の寸法を厚み１４ｃ＝６．０ｍｍとし、スクレーパを作動させなかった以外の条件は上記具体例と同様にしてアクリル樹脂製シートの切断を行った。その結果、切断開始後、約１時間、２００枚を切断した時点で切断用開口部１４における対向面部１４ａ，１４ａの部分に溶融飛散物が厚さ１ｍｍで付着し、その溶融飛散物が切断したアクリル樹脂製シートの切断面に付着する不具合が発生した。この付着した溶融飛散物を除去して作業を再開したが、同様の現象が繰り返され、８時間に５００枚しか切断することができなかった。
【００４５】
なお、本発明は、本発明の精神を逸脱しない限り種々の改変をなすことができ、そして、本発明が該改変されたものにも及ぶことは当然である。
【図面の簡単な説明】
【００４６】
【図１】本発明の実施例１に係るレーザ切断装置における支持部材の斜視図。
【図２】図１のＡ−Ａ線断面図。
【図３】図２の要部拡大断面図。
【図４】本発明の実施例１における支持部材の各変形例を示す要部断面図。
【図５】本発明の実施例２の要部断面図。
【図６】従来の空気導入型のレーザ切断装置の断面図。
【符号の説明】
【００４７】
１２    支持部材
１３    被切断物
１４    切断用開口部
１４ａ  対向面部
１４ｃ  対向面部の厚み
１４ｄ  切断用開口部の長さ
１５    空気導入口
１８    スクレーパ
【図１】
2005211957.tif 000003
【図２】
2005211957.tif 000004
【図３】
2005211957.tif 000005
【図４】
2005211957.tif 000006
【図５】
2005211957.tif 000007
【図６】
2005211957.tif 000008